(57)【要約】高温超伝導ＨＴＳ界磁コイル。ＨＴＳ界磁コイルは、複数の巻線と、部分絶縁層とを含む。複数の巻線は、ＨＴＳ材料及び金属安定化材を含む。部分絶縁層は、部分絶縁層を介して巻線の間で電流をシェアすることができるように巻線を分離する。部分絶縁層は、導電層と、第１及び第２の絶縁層とを含む。導電層は、一方の側が第１の絶縁層で被覆され、他方の側が第２の絶縁層で被覆されている。各絶縁層は、それを通して巻線と導電層との間に電気的接触を形成することができる１つ以上の窓を有する。第１の絶縁層の窓は、第２の絶縁層の窓から導電細片の平面内でオフセットされている。
2021513219.tif 000002
【特許請求の範囲】
【請求項１】
高温超伝導ＨＴＳ界磁コイルであって、
ＨＴＳ材料及び金属安定化材を含む複数の巻線と、
部分絶縁層を介して前記巻線の間で電流をシェアすることができるように巻線を分離する部分絶縁層と
を含み、
前記部分絶縁層は、
一方の側を第１の絶縁層で、他方の側を第２の絶縁層でコーティングした導電層を含み、
各絶縁層は、それを通して前記巻線と前記導電層との間に電気的接触を形成することができる１つ以上の窓を有し、
前記第１の絶縁層の窓は、前記第２の絶縁層の窓から前記導電性細片の平面内でオフセットされている、ＨＴＳ界磁コイル。
【請求項２】
前記導電層は連続的な導電性細片である、請求項１に記載のＨＴＳ界磁コイル。
【請求項３】
前記導電層は複数の領域を含み、各領域は、前記第１の絶縁層内のそれぞれの第１の窓を前記第２の絶縁層内のそれぞれの第２の窓に電気的に接続し、各領域は、前記導電層の平面内で他の領域から電気的に絶縁されている、請求項１又は２に記載のＨＴＳ界磁コイル。
【請求項４】
各領域は、前記第１の窓と第２の窓との間の軌道を含み、前記第１の窓と第２の窓との間の軌道の長さは、前記長さに垂直に測定された前記軌道の幅の少なくとも２倍である、請求項３に記載のＨＴＳ界磁コイル。
【請求項５】
各軌道は直線でない、請求項４に記載のＨＴＳ界磁コイル。
【請求項６】
前記第２の層内の窓はそれぞれ、前記第１の絶縁層、前記第２の絶縁層、及び前記導電層を通って延びるそれぞれのビアの一部であり、前記部分絶縁層は、それぞれのビアの前記第１の絶縁層に近接する端部に絶縁キャップをさらに含む、請求項１から５のいずれか一項に記載のＨＴＳ界磁コイル。
【請求項７】
前記導電層は金属を含む、請求項１から６のいずれか一項に記載のＨＴＳ界磁コイル。
【請求項８】
前記金属は、
銅、
真鍮、
スチール、
ステンレス鋼、
ハステロイ、及び
ニッケル
のうちの１つである、請求項７に記載のＨＴＳ界磁コイル。
【請求項９】
前記部分絶縁層及び前記巻線は連続的に巻かれている、請求項１から８のいずれか一項に記載のＨＴＳ界磁コイル。
【請求項１０】
一方の層の各窓と他方の層の最も近い窓との間のオフセット距離は、前記導電層の厚さよりも大きい、請求項１から９のいずれか一項に記載のＨＴＳ界磁コイル。
【請求項１１】
一方の層の各窓と他方の層の最も近い窓との間のオフセット距離は、ＨＴＳ界磁コイルの１巻きの長さの１／５未満であり、より好ましくは１／１０未満であり、より好ましくは１／５０未満である、請求項１から１０のいずれか一項に記載のＨＴＳ界磁コイル。
【請求項１２】
各絶縁層は、前記部分絶縁層の長さに沿ってオフセットされている複数の窓を含む、請求項１から１１のいずれか一項に記載のＨＴＳ界磁コイル。
【請求項１３】
各絶縁層の窓は、両絶縁層に関して同じ間隔で規則的に離間し、各窓は同じ面積を有する、請求項１から１２のいずれか一項に記載のＨＴＳ界磁コイル。
【請求項１４】
一方の絶縁層の窓は、一方の絶縁層の各窓が反対側の絶縁層の２つの最も近い窓から等距離になるように、反対側の絶縁層の窓からオフセットされている、請求項１から１３のいずれか一項に記載のＨＴＳ界磁コイル。
【請求項１５】
前記絶縁層は、螺旋状の巻き付けの前記間隙が窓を形成するように、
前記導電層の周りに絶縁テープを螺旋状に巻き付けること、又は
前記巻線の周りに絶縁テープを螺旋状に巻き付けること
によって形成される、請求項１から１４のいずれか一項に記載のＨＴＳ界磁コイル。
【請求項１６】
各絶縁層は、前記絶縁層の長さに沿って延びる単一の窓を含み、一方の絶縁層の窓は、他方の絶縁層の窓から前記部分絶縁層の幅に沿ってオフセットされている、請求項１から１１のいずれか一項に記載のＨＴＳ界磁コイル。
【請求項１７】
前記導電層は、前記導電層の各窓によって露出する部分が前記各絶縁層の平面内にあるように曲げられている、請求項１６に記載のＨＴＳ界磁コイル。
【請求項１８】
各絶縁層は、少なくとも１つの側で前記導電層を越えて延びている、請求項１から１７のいずれか一項に記載のＨＴＳ界磁コイル。
【請求項１９】
前記部分絶縁層は、前記窓又は各窓内に導電性インサートを含み、
各窓は、導電性材料でめっきされ、かつ／又は
前記導電層は、各窓内に延びる導電性突出部を含む、請求項１から１８のいずれか一項に記載のＨＴＳ界磁コイル。
【請求項２０】
前記導電性インサート又は突出部はそれぞれの窓を埋める、請求項１９に記載のＨＴＳ界磁コイル。
【請求項２１】
前記導電性インサート又は突出部はそれぞれの窓の一部分のみを埋め、前記窓を通した前記導電層と前記巻線との電気的接触は前記導電性インサートのみを介している、請求項１９に記載のＨＴＳ界磁コイル。
【請求項２２】
前記部分絶縁層は、前記絶縁層の外側に配置されかつ前記窓を通して前記導電性細片に電気的に接続されている導電性接続細片を含み、前記導電性接続細片は、隣接する巻線に電気的に接続されている、請求項１から２１のいずれか一項に記載のＨＴＳ界磁コイル。
【請求項２３】
前記ＨＴＳ界磁コイルははんだポッティングされている、請求項１から２２のいずれか一項に記載のＨＴＳ界磁コイル。
【請求項２４】
前記部分絶縁層は、突き合わせ接合によって接続されている複数のセクションを含む、請求項１から２３のいずれか一項に記載のＨＴＳ界磁コイル。
【請求項２５】
ＨＴＳ界磁コイルの製造方法であって、
ＨＴＳ材料及び金属安定化材を含むＨＴＳケーブルを提供することと、
部分絶縁層であって、
一方の側に第１の絶縁層を、他方の側に第２の絶縁層をコーティングした導電層を含み、
各絶縁層は、それを通して前記巻線と前記導電層との間に電気的接触を形成することができる１つ以上の窓を有し、
前記第１の絶縁層内の窓は、前記第２の絶縁層内の窓から前記導電層の平面内でオフセットされている部分絶縁層を提供することと、
前記部分絶縁層を介して前記ＨＴＳケーブルの巻線の間で電流をシェアすることができるように、前記ＨＴＳケーブルと前記部分絶縁層とを一緒に組み立ててＨＴＳ界磁コイルを形成することと
を含む方法。
【請求項２６】
前記部分絶縁層を提供することは、前記導電層及び絶縁層のそれぞれを別々に提供することと、前記ＨＴＳコイルの巻線中に前記部分絶縁層を形成することとを含む、請求項２５に記載の方法。
【請求項２７】
前記コイルの巻線中に前記部分絶縁層を形成することは、前記絶縁層をエポキシ樹脂で前記導電層に取り付けることと、前記部分絶縁層を前記コイルへと巻線する直前に加熱した加圧ローラを用いて前記エポキシ樹脂を硬化させることとを含む、請求項２６に記載の方法。
【請求項２８】
前記部分絶縁層を提供することは、
前記絶縁層を前記導電層に接着剤で接着することと、
前記絶縁層をエッチングして前記窓を形成することと
を含む、請求項２５に記載の方法。
【請求項２９】
前記部分絶縁層を提供することは、前記部分絶縁層の複数のセクションを提供することと、前記セクションを突き合わせ接合によって接続することとを含む、請求項２５又は２８に記載の方法。
【請求項３０】
前記部分絶縁層を提供することは、
第１の絶縁層を提供することと、
前記第１の絶縁層の表面を導電層で被覆することと、
前記導電層に第２の絶縁層を取り付けることと、
前記第１及び第２の絶縁層に窓を穿孔することと
を含む、請求項２５から２９のいずれか一項に記載の方法。
【請求項３１】
前記第２の絶縁層の窓を穿孔することは、前記第１の絶縁層、導電層、及び第２の絶縁層を通るビアを穿孔することと、前記第１の絶縁層に近接する各ビアの端部に絶縁キャップを付けることとを含む、請求項３０に記載の方法。
【請求項３２】
前記部分絶縁層を提供することはさらに、
前記第１及び第２の絶縁層のそれぞれについて、前記絶縁層の前記導電層と反対側の面を導電性接続層で被覆することを含み、前記導電性接続層は、前記コイルの巻線後の前記ＨＴＳケーブルに接触し又ははんだ付けされている、請求項３０又は３１に記載の方法。
【請求項３３】
前記導電層とそれぞれの金属層とを電気的に接続するために各窓を導電性材料でライニングすることを含む、請求項３２に記載の方法。
【請求項３４】
前記導電層をエッチングして複数の領域を形成し、前記部分絶縁層が組み立てられたときに、各領域が前記第１の絶縁層内のそれぞれの第１の窓を前記第２の絶縁層内のそれぞれの第２の窓に電気的に接続し、各領域が前記導電層の平面内で他の領域から電気的に絶縁されるようにすることを含む、請求項３０から３３のいずれか一項に記載の方法。
【請求項３５】
前記ＨＴＳ界磁コイルをはんだポッティングすることを含む、請求項２５から３４のいずれか一項に記載の方法。
【請求項３６】
前記部分絶縁層のうちの少なくとも１つが、少なくとも一方の側で前記導電層を越えて延びるオーバーハングを有し、はんだポッティングのステップに続いて、前記オーバーハングの少なくとも一部が除去されるようなレベルまで前記ＨＴＳコイルの前記一方の側を機械加工することを含む、請求項３５に記載の方法。
【請求項３７】
はんだポッティングのステップに続いて、前記ＨＴＳ界磁コイルをエポキシ樹脂でポッティングすることを含む、請求項３５又は３６に記載の方法。
【請求項３８】
はんだポッティングの前に前記ＨＴＳコイルの一方の側に取り外し可能なマスクを取り付け、はんだポッティング後に前記マスクを取り外すことを含む、請求項３５から３７のいずれか一項に記載の方法。
【請求項３９】
ＨＴＳケーブルを提供することは、それぞれがＨＴＳ材料を含む複数のＨＴＳテープを提供することと、前記ＨＴＳテープを接続してケーブルを形成することとを含む、請求項２５から３８のいずれか一項に記載の方法。
【請求項４０】
前記ＨＴＳテープを互いに接続してテーブルを形成するステップは、前記ＨＴＳ界磁コイルの巻線中に行われる、請求項３９に記載の方法。
【請求項４１】
前記ＨＴＳテープを互いに接続するステップは、
各テープをはんだでコーティングすることと、
前記ＨＴＳ界磁コイルを巻く直前に加熱ローラに前記ＨＴＳテープを一緒に通すことと
を含む、請求項４０に記載の方法。
【請求項４２】
５０ｃｍより大きい半径を有する高温超伝ＨＴＳ界磁コイルであって、ＨＴＳ界磁コイルはＨＴＳ材料を含む複数の巻線を有し、前記巻線は抵抗材料を介して前記巻線の間で電流をシェアすることができるように配置されている、ＨＴＳ界磁コイル。
【請求項４３】
前記抵抗材料は半導体である、請求項４２に記載のＨＴＳ界磁コイル。
【請求項４４】
前記抵抗材料はゲルマニウムである、請求項４３に記載のＨＴＳ界磁コイル。
【請求項４５】
各巻線が複数のＨＴＳテープを含み、各巻線におけるＨＴＳテープ間の抵抗が巻線間の抵抗よりも小さい、請求項１から２４及び４２から４４のいずれか一項に記載のＨＴＳ界磁コイル。
【請求項４６】
５０ｃｍより大きい半径を有する高温超伝導、ＨＴＳ界磁コイルであって、ＨＴＳ界磁コイルはＨＴＳ材料を含む巻線を有し、ＨＴＳの最大臨界温度よりも低い第１の温度での第１の抵抗率と、前記第１の温度よりも高い第２の温度でのより低い第２の抵抗率とを有する金属絶縁体転移材料によって前記巻線が分離されている、ＨＴＳ界磁コイル。
【請求項４７】
前記第２の抵抗率は前記第１の抵抗率の１／１０未満である、請求項４６に記載のＨＴＳ界磁コイル。
【請求項４８】
請求項１から２４及び４２から４７のいずれか一項に記載のＨＴＳ界磁コイルを含むトカマク核融合炉であって、前記ＨＴＳ界磁コイルはトロイダル磁場コイル又はポロイダル磁場コイルのいずれかである、トカマク核融合炉。
【請求項４９】
請求項１から２４及び４２から４７のいずれか一項に記載のＨＴＳ界磁コイルを含む陽子線治療、ＰＢＴ装置であって、前記ＨＴＳ界磁コイルは、
ＰＢＴ装置の加速器の界磁コイル、及び
ＰＢＴ装置の陽子線ステアリングシステムの双極子磁石又は四重極磁石
のうちの１つである、ＰＢＴ装置。
【発明の詳細な説明】
【技術分野】
【０００１】
本発明は、ＨＴＳ磁石に関する。
【背景技術】
【０００２】
核融合発電の課題は非常に複雑である。トカマク以外の多くの代替装置が提案されているが、ＪＥＴのような現在稼働している最良のトカマクに匹敵する成果はまだ得られていない。
【０００３】
世界の核融合研究は、これまでに建設された最大かつ最も高価な（１５０億ユーロの）トカマクであるＩＴＥＲの建設開始後、新しい段階に入った。商用核融合炉への成功につながるルートは、電力生産を経済的にするために必要とされる高効率と組み合わせた長パルス、安定した動作を必要とする。これらの３つの条件を同時に達成することは特に困難であり、計画されたプログラムは、理論的及び技術的研究だけでなく、ＩＴＥＲ及び他の核融合施設に関する長年の実験的研究を必要とするであろう。このルートで開発された商用核融合炉は２０５０年までに建設されないと広く予想されている。
【０００４】
経済的な発電（つまり、電力入力よりもはるかに多い電力出力）に必要な核融合反応を得るために、熱核融合が起こるのに十分なほどプラズマが高温になるようにエネルギー閉じ込め時間（プラズマ体積にほぼ比例する）を十分長くすることができるように、従来のトカマクは（ＩＴＥＲで例示されるように）巨大でなければならない。
【０００５】
特許文献１には、中性子源又はエネルギー源として使用するためのコンパクトな球状トカマクの使用を含む代替的なアプローチが記載されている。球状トカマクにおける低アスペクト比のプラズマ形状は、粒子閉じ込め時間を改善し、はるかに小さい機械での正味の発電を可能にする。しかしながら、小さな直径の中心柱が必要であり、それはプラズマ閉じ込め磁石の設計に対する課題を提示している。高温超伝導体（ＨＴＳ）界磁コイルは、このような磁石の有望な技術である。
【０００６】
ＨＴＳ磁石のもう１つの潜在的な用途は、陽子線治療装置である。陽子線治療（陽子線療法としても知られるＰＢＴ）は、がん（放射線治療に反応するその他の状態）の治療に用いられる粒子線治療の一種である。ＰＢＴでは、陽子線が治療部位（例えば、腫瘍）に向けられる。
【０００７】
もう１つの類似した治療法は、ホウ素−１１を標的部位に導入し、陽子線を用いてp+11B→3αの反応を開始する、陽子ホウ素捕捉療法（ＰＢＣＴ）である。同じ装置を用いて、ＰＢＴ又はＰＢＣＴのいずれかに陽子線を提供することができる。
【０００８】
ＰＢＴ及びＰＢＣＴのための陽子線は、サイクロトロン又は線形加速器などの粒子加速器によって生成される。通常ＰＢＴ及びＰＢＣＴに使用される加速器は、一般に６０から２５０ＭｅＶの範囲のエネルギーで陽子を生成し、現在稼働している最も強力な施設は、４００ＭｅＶの最大エネルギーを有する。
【０００９】
大まかに言って、ビーム角度の変化を可能にするＰＢＴ装置の設計には２つのタイプがある。第１のタイプの設計では、図７に示すように、加速器３００１は、加速器３００１が患者３００３の周りで（通常、水平軸を中心に）回転することを可能にするガントリ３００２に取り付けられる。患者は、更なる自由度（例えば、並進運動及び垂直軸を中心とする回転）を提供する可動ベッド３００４上に置かれる。
【００１０】
第２のタイプの設計を図８に示す。加速器４００１は静止しており、ビームはステアリング電磁石４００２（一般に四重極磁石と双極子磁石の両方を含む）を介して患者に向けられ、ステアリング電磁石の少なくとも一部はガントリ４００３に配置され、ビームは患者４００４の周りで（例えば、水平軸を中心に）回転することができる。患者は、可動ベッド４００５上に置かれる。
【００１１】
いずれの設計も、ガントリが４００ＭｅＶにもなるビームエネルギーで陽子を進ませることができる電磁石を保持することを必要とする。これには非常に高い磁場が必要であるため、ＨＴＳ磁石を使用することにより、電磁石とそれを動かすのに必要なガントリの質量及びサイズを大幅に削減することができる。ＨＴＳ磁石は、加速器、ステアリング磁石の四重極磁石、又はステアリング磁石の双極子磁石内で使用することができる。
【００１２】
超伝導材料は通常、「高温超伝導体」（ＨＴＳ）と「低温超伝導体」（ＬＴＳ）に分けられる。Ｎｂ及びＮｂＴｉなどのＬＴＳ材料は、その超伝導性をＢＣＳ理論で説明できる金属又は金属合金である。すべての低温超伝導体は、約３０Ｋ未満の臨界温度（それを超えるとゼロ磁場でも材料が超伝導にならない温度）を有する。ＨＴＳ材料の挙動はＢＣＳ理論では説明されておらず、このような材料は約３０Ｋを超える臨界温度を有する可能性がある（ただし、ＨＴＳ及びＬＴＳ材料を定義するのは、臨界温度ではなく、組成及び超伝導動作の物理的な違いであることに注意すべきである）。最も一般的に使用されるＨＴＳは「銅酸化物超伝導体」、ＢＳＣＣＯ又はＲｅＢＣＯ（ここで、Ｒｅは希土類元素、通常はＹ又はＧｄである）などの銅酸化物（酸化銅基含有化合物）をベースとするセラミックである。他のＨＴＳ材料は、鉄ニクタイド（例えば、ＦｅＡｓ及びＦｅＳｅ）及び二ホウ酸マグネシウム（ＭｇＢ2）を含む。
【００１３】
ＲｅＢＣＯは通常、図１に示すような構造のテープとして製造される。このようなテープ１００は、一般に約１００ミクロンの厚さであり、基板１０１（通常、約５０ミクロンの厚さの電解研磨したハステロイ）を含み、基板１０１の上に、ＩＢＡＤ、マグネトロンスパッタリング、又は他の好適な技術によって、約０．２ミクロンの厚さのバッファスタック１０２として知られる一連のバッファ層が堆積される。エピタキシャルＲｅＢＣＯ−ＨＴＳ層１０３（ＭＯＣＶＤ又は他の好適な技術によって堆積される）がバッファスタックを覆い、通常１ミクロンの厚さである。１〜２ミクロンの銀層１０４が、スパッタリング又は他の好適な技術によってＨＴＳ層上に堆積され、銅安定化層１０５が、電気めっき又は他の好適な技術によってテープ上に堆積され、これは、多くの場合テープを完全に封入する。
【００１４】
基板１０１は、製造ラインを通して供給されかつ後続の層の成長を可能にすることができる機械的なバックボーンを提供する。バッファスタック１０２は、その上にＨＴＳ層を成長させるための二軸配向結晶テンプレートを提供するために必要とされ、その超伝導特性を損なう基板からＨＴＳへの元素の化学拡散を防止する。銀層１０４は、ＲｅＢＣＯから安定化層への低抵抗界面を提供するために必要とされ、安定化層１０５は、ＲｅＢＣＯのいずれかの部分が超伝導を停止する（「常伝導」状態になる）場合に代替的な電流経路を提供する。
【００１５】
さらに、基板及びバッファスタックがなく、代わりにＨＴＳ層の両側に銀層を有する「剥離」ＨＴＳテープを製造することができる。基板を有するテープは、「基板付き」ＨＴＳテープと呼ばれる。
【００１６】
ＨＴＳテープは、ＨＴＳケーブルに配置することができる。ＨＴＳケーブルは、導電性材料（通常は銅）によってそれらの長さに沿って接続されている１つ以上のＨＴＳテープを含む。ＨＴＳテープは積み重ねる（すなわち、ＨＴＳ層が平行になるように配置する）ことができ、又はＨＴＳテープはケーブルの長さに沿って変化し得るテープの他の配置を有することができる。ＨＴＳケーブルの注目すべき特別なケースは、単一のＨＴＳテープとＨＴＳ対である。ＨＴＳ対は、ＨＴＳ層が平行になるように配置された一対のＨＴＳテープを含む。基板付きテープを使用する場合、ＨＴＳ対は、タイプ０（ＨＴＳ層が互いに向き合う）、タイプ１（一方のテープのＨＴＳ層が他方のテープの基板に面する）、又はタイプ２（基板が互いに向き合う）であり得る。３つ以上のテープを含むケーブルは、テープの一部又は全部をＨＴＳ対に配置することができる。積層ＨＴＳテープは、ＨＴＳ対の様々な配置、最も一般的には、タイプ１の対の積層、又はタイプ０の対（又は同等にタイプ２の対）の積層のいずれかを含むことができる。ＨＴＳケーブルは、基板付きテープと剥離テープの混合物を含むことができる。
【００１７】
本明細書でコイルを説明する場合、次の用語を使用する。
・「ＨＴＳケーブル」−１つ以上のＨＴＳテープを含むケーブル。この定義では、単一のＨＴＳテープはＨＴＳケーブルである。
・「巻線」−コイル内のＨＴＳケーブルのうち、コイルの内側を囲む部分（すなわち、完全なループとしてモデル化することができる）
・「弧」−界磁コイル全体より短いコイルの連続した長さ
・「内半径／外半径」−コイルの中心からＨＴＳケーブルの内側／外側までの距離
・「内周／外周」−コイルの内側／外側の周囲で測定した距離
・「厚さ」−コイルのすべての巻線の径方向の深さ、すなわち内半径と外半径の差
・「臨界電流」−所与の温度及び外部磁場でＨＴＳが常伝導になる電流（ＨＴＳは、テープが１メートルあたりＥ0ボルトを生成する超伝導転移の特徴点で「常伝導になる」とみなされる。Ｅ0の選択は任意であるが、通常は１メートルあたり１０マイクロボルト又は１００マイクロボルトとみなされる。）
・「臨界温度」−所与の磁界及び電流でＨＴＳが常伝導になる温度
・「最大臨界温度」−外部磁場がなく、電流が無視できる場合にＨＴＳが常伝導になる温度。
【００１８】
大まかに言って、磁気コイルには、巻き付けによるものと複数のセクションの組み合わせによるものの２種類の構造がある。図２に示すように、巻線コイルは、ＨＴＳケーブル２０１をフォーマ２０２の周りに連続した螺旋状に巻き付けることによって製造される。前者は、コイルの必要な内周を提供するように成形され、最終的な巻線コイルの構造部分であることができ、又は巻き付け後に除去することができる。セクションコイルは、図３に概略的に示すように、いくつかのセクション３０１から構成され、セクションのそれぞれは、いくつかのケーブル又は予め形成されたバスバー３１１を含むことができ、コイル全体の弧を形成する。これらのセクションは、接合部３０２によって接続され、完全なコイルを形成する。図２及び図３のコイルの巻線は、明確にするために間隔を空けて示しているが、一般にコイルの巻線を接続する材料が存在し、例えば、コイルの巻線はエポキシ樹脂でポッティングすることによってまとめることができる。
【００１９】
コイルは、コイルの巻線の間に電気絶縁材料を有する「絶縁」か、又はコイルの巻線が（例えば、はんだ付け又は直接接触によりケーブルの銅安定化層を接続することにより）ケーブルに沿ってだけでなく径方向に電気的に接続される「非絶縁」である。非絶縁コイルは、後でより詳細に説明する理由により、大きな界磁コイルには適していない。
【００２０】
図４は、ＨＴＳケーブル４０１が１巻きのリボンと同様の方法で平らなコイルを形成するように巻かれる「パンケーキコイル」として知られる特定のタイプの巻線コイルの断面を示す。パンケーキコイルは、任意の２次元形状である内周で作製することができる。多くの場合、パンケーキコイルは、図５の断面図に示すように、パンケーキコイル間の絶縁体５０３と、互いに接続されている内部端子５０４とを備える、反対方向に巻かれた２つのパンケーキコイル５０１、５０２を含む「二重パンケーキコイル」として提供される。これは、コイルの巻線に電流を流して磁場を生成するのに、一般によりアクセスしやすい外部端子５２１、５２２に電圧を供給するだけでよいことを意味する。
【先行技術文献】
【特許文献】
【００２１】
【特許文献１】国際公開第２０１３／０３０５５４号
【発明の概要】
【課題を解決するための手段】
【００２２】
本発明の第１の態様によれば、高温超伝導ＨＴＳ界磁コイルが提供される。ＨＴＳ界磁コイルは、複数の巻線と、部分絶縁層とを含む。複数の巻線は、ＨＴＳ材料及び金属安定化材を含む。部分絶縁層は、部分絶縁層を介して巻線の間で電流をシェアすることができるように巻線を分離する。部分絶縁層は、導電層と、第１及び第２の絶縁層とを含む。導電層は、一方の側が第１の絶縁層で被覆され、他方の側が第２の絶縁層で被覆されている。各絶縁層は、それを通して巻線と導電層との間に電気的接触を形成することができる１つ以上の窓を有する。第１の絶縁層の窓は、第２の絶縁層の窓から導電細片の平面内でオフセットされている。
【００２３】
本発明の第２の態様によれば、ＨＴＳ界磁コイルを製造する方法が提供される。ＨＴＳ材料及び金属安定化材を含むＨＴＳケーブルが提供される。部分絶縁層が提供される。部分絶縁層は、導電層と、第１及び第２の絶縁層とを含む。導電層は、一方の側が第１の絶縁層で被覆され、他方の側が第２の絶縁層で被覆されている。各絶縁層は、それを通して巻線と導電層との間に電気的接触を形成することができる１つ以上の窓を有する。第１の絶縁層の窓は、第２の絶縁層の窓から導電層の平面内でオフセットされている。ＨＴＳケーブル及び部分絶縁層は、部分絶縁層を介してＨＴＳケーブルの巻線の間で電流をシェアすることができるように組み立てられてＨＴＳ界磁コイルを形成する。
【００２４】
本発明の第３の態様によれば、５０ｃｍより大きい半径を有する高温超伝導ＨＴＳ界磁コイルであって、ＨＴＳ界磁コイルはＨＴＳ材料を含む複数の巻線を有し、巻線は抵抗材料を介して巻線の間で電流をシェアすることができるように配置されているＨＴＳ界磁コイルが提供される。
【００２５】
本発明の第４の態様によれば、５０ｃｍより大きい半径を有する高温超伝導ＨＴＳ界磁コイルであって、ＨＴＳ界磁コイルはＨＴＳ材料を含む巻線を有し、ＨＴＳの最大臨界温度よりも低い第１の温度での第１の抵抗率と、第１の温度よりも高い第２の温度での第２のより低い抵抗率とを有する金属絶縁体転移材料によって巻線が分離されているＨＴＳ界磁コイルが提供される。
【００２６】
本発明の第５の態様によれば、第１、第３又は第４の態様のいずれか１つによるＨＴＳ界磁コイルを含むトカマク核融合炉であって、ＨＴＳ界磁コイルはトロイダル磁場コイル又はポロイダル磁場コイルのいずれかであるトカマク核融合炉が提供される。
【００２７】
本発明の第６の態様によれば、第１、第３又は第４の態様のいずれか１つによるＨＴＳ界磁コイルを含む陽子線治療、ＰＢＴ装置であって、ＨＴＳ界磁コイルは、
ＰＢＴ装置の加速器の界磁コイル、及び
ＰＢＴ装置の陽子線ステアリングシステムの双極子磁石又は四重極磁石
のうちの１つであるＰＢＴ装置が提供される。
【００２８】
本発明の更なる実施形態は、請求項２以降に記載されている。
【図面の簡単な説明】
【００２９】
【図１】ＨＴＳテープの概略図である。
【図２】巻かれたＨＴＳコイルの概略図である。
【図３】セクションＨＴＳコイルの概略図である。
【図４】パンケーキコイルの断面の概略図である。
【図５】二重パンケーキコイルの断面の概略図である。
【図６】ランプアップ中及び定常状態への部分絶縁コイルにおける電流、電圧、及び電力を示す。
【図７】陽子線治療装置の概略図である。
【図８】更なる陽子線治療装置の概略図である。
【図９】図９Ａは部分絶縁層の概略図である。図９Ｂは図９Ａの部分絶縁層の側面図である。
【図１０】図１０Ａは代替構成による部分絶縁層の概略図である。図１０Ｂは図１０Ａの部分絶縁層の断面図である。
【図１１】例示的な部分絶縁層の概略図である。
【図１２】部分絶縁層の代替構成を示す。
【図１３】例示的な巻線システムの概略図を示す。
【図１４】部分絶縁層及びＨＴＳテープのアセンブリの断面図である。
【図１５】例示的なはんだポッティングされたコイルを示す。
【図１６Ａ】部分絶縁層の更なる代替構成を示す。
【図１６Ｂ】部分絶縁層の更なる代替構成を示す。
【図１６Ｃ】部分絶縁層の更なる代替構成を示す。
【図１６Ｄ】部分絶縁層の更なる代替構成を示す。
【図１６Ｅ】部分絶縁層の更なる代替構成を示す。
【発明を実施するための形態】
【００３０】
上記のように、ＨＴＳコイルは絶縁されていても、絶縁されていなくてもよい。一般に、非絶縁コイルは、トカマクの界磁コイルのように、クエンチが起こり得る状態で動作する大きな磁石には適していないと考えられる。絶縁体が意図的にないことにより、各ケーブル巻線内のテープの間だけでなく、ケーブル巻線の間でも電流をシェアすることができる。巻線の間の材料が従来の導体、例えば金属の抵抗と、セラミック又は有機絶縁体などの従来の絶縁体の抵抗との中間の抵抗を有し、例えば、銅の抵抗率の１００から１０15倍又は１０-6から１０8オームメートルの抵抗率を有する「部分絶縁」（部分的に絶縁した）コイルも可能である。巻線の間に絶縁体がないか部分的な絶縁体があると、局所的な「ホットスポット」（常伝導域）の温度が上昇する速度が遅くなる。ＨＴＳ磁石の常伝導（抵抗性ＨＴＳ）域の増大（空間的伝播）速度は多くのパラメータによって決まるが、通常、軸方向において（すなわち、ケーブルに沿って）１００ｍｍ／ｓ未満であり、横方向において（すなわち、隣接する巻線の間で）約２〜１００倍遅い。各方向における常伝導域の正確な伝播速度は、利用される材料及びケーブル構造の熱的及び電気的性質によって決まる。特に、横方向の伝播速度は巻線の間の材料の熱的性質の影響を受ける。
【００３１】
大きな磁石（数メートルの長さ寸法、例えば、半径が５０ｃｍを超え、コイルの断面寸法が全体の最大コイル寸法よりも小さい（すなわち、約１０分の１である））では、横方向の伝播によって、コイルの周囲のごく一部をカバーする領域でコイルの全断面が常伝導になり、その結果、すべての巻線の全電流が常伝導部分内で金属安定化材のみに流れる可能性がある。常伝導域の外側では、導体は依然として超伝導である。この常伝導域の抵抗は、磁石の電流を急速に低下させるのに十分ではないが、磁石全体の蓄積された磁気エネルギーが、コイルの周囲でゆっくりとしか成長しないこの小さな常伝導（抵抗性）の体積に放出される。磁石の蓄積エネルギーをコイルの外部の抵抗に放出できるようにこの状況が迅速に検出されない限り、常伝導域の温度が非常に急速に上昇し、常伝導域内の導体に重大な損傷を与える可能性がある。
【００３２】
小さなコイル（数センチメートルの長さ寸法、例えば、半径が１０ｃｍ未満で、コイルの断面が最大コイル寸法と同程度の大きさである）の場合、関係する蓄積磁気エネルギーは相対的にはるかに低く、常伝導域は短時間でコイルの全体積により均等に広がる。言い換えると、常伝導域の温度が損傷値（通常は約２００Ｋとみなされる）を超える前に、クエンチがコイル全体を取り囲むように伝播する。
【００３３】
このため、非絶縁又は部分絶縁コイルは、小さなＨＴＳ磁石のパッシブクエンチ保護には良い選択肢であるが、大きな磁石のパッシブクエンチ保護には不十分であると考えられてきた。
【００３４】
さらに、非絶縁又は部分絶縁コイルは、ランプアップ中の磁場の安定化に遅れを示す。これは、コイルのインダクタンスに発生する電圧が、巻線の間の金属に電流を流すためである。非絶縁ＨＴＳコイルは、３つの電流経路、すなわち、ＨＴＳテープをたどる２つの螺旋状経路（ＨＴＳに１つと金属安定化材に１つ）と、コイル端末の間で非絶縁又は部分絶縁ＨＴＳケーブルを接続する金属（及び他の抵抗材料）を通る径方向経路（これは単一の経路としてモデル化できるが、実際には磁石を通るすべての径方向の抵抗性経路の合計を表す）とを有するものとしてモデル化することができる。螺旋状経路を流れる電流のみがコイルの中心に大きな軸方向磁場を生成する。ＨＴＳ螺旋状経路は、テープがすべて超伝導である場合、インダクタンスＬとゼロ又は無視できる抵抗を有するインダクタとしてモデル化できる。銅安定化材の螺旋状経路は、ＨＴＳ経路と平行であり、同じインダクタンスを有するが、かなりの抵抗を有する。このため、ＨＴＳ螺旋状経路の一部がクエンチし始めない限り、ほとんど電流が流れない。これが起こると、ＨＴＳ螺旋状経路の臨界電流Ｉｃを超える過剰電流は、それらの相対抵抗に従って、螺旋状安定化材経路と径方向経路との間でシェアされる。径方向電流経路は、ＨＴＳが全体にわたって超伝導である間、無視できるインダクタンスと螺旋状経路よりはるかに大きい抵抗Ｒを有するようにモデル化できる。
【００３５】
図６は、ランプアップ中及び定常状態動作中の非絶縁コイルにおける電流、電圧、及び電力を示す。非絶縁コイルのランプアップの間、電流は最初に主に径方向経路に流れ（図６の期間Ａ）、その後安定する。径方向経路を流れる電流の量は、ランプ速度が速いほど多くなる（螺旋状経路の両端の電圧Ｌ．ｄＩ／ｄｔが高いため。これは期間Ｂである）。ランプの終わりに、ｄＩ／ｄｔはゼロに低下し、電流は時定数Ｌ／ＲでＨＴＳ螺旋状経路に移動する（期間Ｃ）。電流は、ランプの終了後、ほとんどの場合、数（約５）Ｌ／Ｒ時定数で螺旋状経路に移される。このため、時定数は、適正なランプアップ時間をもたらすように選択されるべきであり、例えば、５〜１０時間の時定数がトカマクのＴＦコイルにふさわしい（約１〜２日のランプアップ時間をもたらす）。
【００３６】
コイルを巻くために使用されるＨＴＳケーブルに接合部がある場合、電源電流のごく一部が、期間Ｃの間、径方向経路に流れ続ける。この割合は、単に、径方向抵抗（すなわち、すべての巻線から巻線への、すなわち巻線間の抵抗の合計）と螺旋状経路抵抗の合計に対する螺旋状経路抵抗の比率である。
【００３７】
大きなＬを有する磁石において充電遅延時定数を短く保つには、比較的高い巻線間の抵抗が必要であるが、常伝導域の温度を低く保つには、比較的低い巻線間の抵抗が必要である。したがって、最良の妥協点を得るために、巻線から巻線への抵抗を容易に制御する方法を見出すことが望ましい。
【００３８】
理想的な巻線から巻線への抵抗の選択における更なる考慮事項は、磁石のランピング段階（期間Ａ及びＢ）の間の径方向抵抗に電流を流すことによって生じる熱負荷である。かなりの量（数ｋＷ程度）になる可能性があるこの更なる熱負荷は、それが界磁コイルを含む装置の動作中に生じる熱負荷、例えば核融合炉のコイルの中性子熱負荷以下であるならば、更なる冷却を必要としない。これが可能なのは、動作の熱負荷とランピングの熱負荷が同時に発生する可能性がないため（例えば、ＴＦ磁石が磁場になるまで融合が開始されないため）である。当然ながら、より高い熱負荷（すなわち、より高い巻線から巻線への抵抗）でランプアップし、更なる冷却を提供することも可能である。これは一般によりコストがかかるが、より速いランプ時間を可能にする。
【００３９】
大きな磁石では、（絶縁コイル又は非絶縁コイルのどちらかで）クエンチによる損傷を避けるために、アクティブクエンチ保護スキームを実施することもできる。このスキームでは、クエンチ領域で十分な温度上昇が発生して損傷を引き起こす前に、磁石の蓄積エネルギーを磁石のクエンチ領域以外の他の何らかの構成要素に放出することができる。他の構成要素は、外部抵抗、又は磁石のコールドマスのより大きな割合でクエンチされた磁石の別個の部分であることができる（これにより、磁石の蓄積エネルギーを大きな体積に分散し、全体的な温度上昇を抑える）。しかしながら、アクティブなアプローチは、ホットスポットの端末温度が、コイルの損傷が発生する可能性がある温度、例えば約２００Ｋ未満であるように、常伝導域（「ホットスポット」とも呼ばれる）の開始から磁石電流ランプダウン（「ダンプ」）のトリガまでの時間が十分に短いことを必要とする。
【００４０】
したがって、許容可能な時間枠で安定した磁場にランプできるようにコイルの時定数を制御する一方で、ホットスポット温度の上昇率を制限するためにクエンチされた常伝導域の周囲の巻線の間である程度の電流シェアリングを提供する手段を開発することが望ましい。
【００４１】
時定数Ｌ／Ｒを選択するために変えることができるコイルの可能なパラメータは、以下の通りである。
・コイルの巻き数Ｎの２乗に比例するインダクタンスＬ。したがって、巻き数を減らすことによって時定数を減らすことができる。しかしながら、磁場はアンペア回数に比例するので、少ない巻き数で高い磁場を生成するには、より多くの巻き数及びより低い輸送電流で同じ磁場を生成する磁石よりも高い輸送電流が必要である。
・巻線から巻線への径方向抵抗、ＲT（ここで、Ｒ＝ＮＲT）
【００４２】
これらのパラメータに関して、ＲはＮＲTにほぼ比例し、ＬはＮ2にほぼ比例するため、Ｌ／ＲはＮ／ＲTにほぼ比例する。ＢはＮＩに比例するため、Ｎの最小値は、必要な磁場（Ｂ）と、ケーブルあたりの最大電流（Ｉ）とによって設定される。時定数及びランピング中の熱負荷は、より少ない巻き数を使用することによって低減することができるが、これは、磁石が所定の磁場を生成するためにより高い電流を必要とする。
【００４３】
各巻線の間の抵抗ＲTを大きくすることにより、時定数及びランピング熱負荷を低減することもできる。しかしながら、ＲTを高くし過ぎると、巻線の間の電流シェアリングが阻害され、コイルの「パッシブクエンチ保護」、すなわち、クエンチすることなく、またコイルからエネルギーを放出することなく、ホットスポットから回復するコイルの能力が低下する。大電流ケーブルは、電流を流すために複数のテープを必要とし、特にテープ間の良好な電流シェアリング及び高い熱伝導率を可能にするために、テープ間の抵抗を非常に低く保つことが望ましい。これにより、テープはＲｅＢＣＯ超伝導層の欠陥に対して堅牢になる。各巻線が複数のテープを含む場合、必要なＲTは、各巻線のテープ間の抵抗よりもはるかに大きい場合があり、そのため、電流は、巻線の間ではなく欠陥をバイパスするために巻線内で優先的にシェアされる。しかしながら、ＲTは、ホットスポットの熱暴走の速度を制限し、問題を検出して磁石をダンプする時間を最大にするために、巻線の間の電流シェアリングを可能にするべきである。
【００４４】
部分絶縁コイルを使用すると、ホットスポットの開始から常伝導域温度が２００Ｋを超えるまでの時間窓を同等の絶縁コイルと比較して大幅に延長することができ、磁石ダンプの開始のための追加の時間を可能にすることが分かった。これにより、ＲTを正しく選択した部分絶縁コイルは、トカマクの大きな界磁コイルとしての使用に驚くほど適している。
【００４５】
この時間窓内に、ホットスポットを検出しなければならず、クエンチ検出システムは、ホットスポットが（パッシブ電流シェアリングによって消散するのではなく）クエンチを引き起こす可能性が高いと判断し、安全な方法で磁石からエネルギーを放出、すなわち、制御された方法で大きなコールドマスを強制的にウォームアップしなければならない（大きなコールドマスは、磁石の意図的にクエンチされた部分、例えばトロイダル磁場コイルのリターンリムであり得る）。
【００４６】
時間窓の持続時間は、各巻線における導電性金属（例えば銅）の量によって決まり、金属安定化材が多いほど、時間窓が延長される。しかしながら、安定化材の量を増やすとコイルの電流密度が低下し、これは、トロイダル磁場コイルの中心柱のようなスペースが限られた用途では望ましくない（ここで、より高い電流密度が核融合炉におけるより厚い中性子シールドを可能にし、したがってより少ない熱負荷、又は球状トカマクにとってより好ましいアスペクト比もしくはより小さい全体サイズを可能にする）。
【００４７】
球状トカマクに絶縁コイルを用いる現在のクエンチ保護アプローチは、巻線により多くの金属安定化材をもたらし、その結果、時間窓を管理可能なレベルまで増大させるために、より大きく、より高価な装置をもたらすが、時間窓は（０．５から１秒のオーダーで）依然として短い。非絶縁又は部分絶縁コイルは絶縁コイルよりも必要な金属安定化材が少ないため、非絶縁又は部分絶縁トロイダル磁場コイルの使用により、時間窓を延長し、電流密度を増加させることができる。実際、非絶縁トロイダル磁場コイルの電流密度の限界は、電流密度が増加するにつれて中心柱への応力が制限要因になるため、電気的な問題ではなく機械的な問題である。最終的に、テープ材料に生じた歪みがＲｅＢＣＯ層に伝達され、臨界電流の低下を引き起こす。
【００４８】
プラズマ半径１．４ｍ、５Ｔの磁場、１８個のリムを有するトロイダル磁場（ＴＦ）磁石の実施例を考える。全ＴＦ中心ロッド電流は３５ＭＡである。１０ｋＡの輸送電流を仮定すると、各リムは１９６の巻線を有し、全ＴＦインダクタンスは約４６Ｈである。（約６時間の合計ランプ時間を有するために）１．４時間の時定数を達成するには、約０．５ミリオームの個々のリムの径方向抵抗を必要とする。したがって、所望の時定数を達成するためには、巻線から巻線への平均抵抗ＲTは、２．５４マイクロオームである必要がある。
【００４９】
モデリングにより、これは、０．０５ｍｍの厚さ及び０．０２オームメートルの抵抗率（これは２０Ｋでの通常の銅の２×１０6倍である）を有する巻線間の部分絶縁層を用いて達成することができる。当業者は、部分絶縁のための他のパラメータも可能であることを理解するであろう。
【００５０】
ＲTは、ＨＴＳケーブル内及び／又はコイルの巻線の間の被覆材のための金属の選択によって調整することができる。典型的なＨＴＳケーブルでは、これは銅であるが、より大きな抵抗を可能にするために、ステンレス鋼などの他の金属を使用することができる。代替的又は追加的に、コイルの巻線の間の間隔を増加させて、コイルの巻線の間により厚い（そのためより抵抗が大きい）金属層を生じることができる。他の工学的制約（例えば、電流密度及び構造安定性）も満たす適切な材料には、ゲルマニウム及び他の半導体が含まれる。
【００５１】
更なる代替例は、絶縁体に通常の（すなわち、非超電導の）金属を使用するが、従来の絶縁体を用いて電流経路の形状を調整することである。言い換えれば、巻線の間で電流を強制的に流す距離を増大させる。コイルの巻線の間の材料は、図９Ａ及びＢに示すように、「漏れのある絶縁」を有する金属細片（又は他の導電性細片）を含む部分絶縁層を含むことができる。金属細片９０１は、少なくともＨＴＳケーブルに面する側に薄い絶縁被覆９０２を備え、絶縁被覆は、金属細片のそれぞれの側で間隔を置いて窓（すなわち「貫通穴」）９０３の上で除去されるか又は欠落している。窓は任意の形状を有することができ、テープの端まで延びることができる。金属細片の両側の窓の位置は、図９Ｂに示すように、ずらして配置されており、これにより、電流が金属細片の長さの一部に沿った経路９１０を取らなければならないので、（絶縁されていない細片、又はそれぞれの側の窓が互いに正反対である細片と比較して）抵抗が増加する。
【００５２】
図９Ａ及びＢに示す部分絶縁層の抵抗（すなわち、巻線間の抵抗）は、以下によって決まる。
・同じ側の隣接する窓間の距離（距離が大きいほど抵抗が大きくなる）。これが支配的な効果である。
・反対側の隣接する窓間のオフセット、すなわち一方の側の窓と反対側の隣接する窓との間の距離（オフセットが大きいほど抵抗が大きくなる）
・抵抗は、窓の両側の相対的なオフセットによっても変化し、一方の側の窓が反対側の最も近い窓の中間にあるとき、同じ側の所定の窓間の距離で最大になる。この配置はまた、部分絶縁層の均一な抵抗加熱を提供する。
・金属細片の厚さ（オフセットが厚さよりも著しく大きい場合、厚さが大きいほど抵抗が小さくなる）
・金属細片の幅（幅が広いほど抵抗が小さくなる）
・金属細片の抵抗率（抵抗率が大きいほど抵抗が大きくなる）
・窓の面積（面積が大きいほど抵抗が小さくなる）。ただし、窓の面積は、窓間の距離が窓の寸法と同等である場合にのみ重要である。
【００５３】
正確な関係は、当技術分野で知られている一般的に利用可能な技術又は簡単な実験によってモデル化することができる。
【００５４】
窓の間隔が一定である必要はない。重要な要素は、電流が細片の一方の側の巻線から他方の側へ流れるためには、電流が窓を通って細片に入り、次に細片に沿って流れ、細片の反対側の別の窓を通って出なければならないことである。１つの窓に入った電流が複数の経路に分割され、複数の窓を通って出ることは明らかに可能である。各経路をたどる電流の割合は、単にその経路のインピーダンスによって決まる（インピーダンスは変化する電流を遅くするための経路の抵抗によって支配されるが、経路のインダクタンスは急速に変化する電流に対して作用する）。
【００５５】
細片の両側の窓間の距離が窓の寸法に同等でない限り、窓間の経路の抵抗は、窓間の距離によって支配され、窓間の距離に比例し、細片の厚さに反比例する。これは、部分絶縁細片の望ましい配置である。
【００５６】
コイルの異なる場所で抵抗を変えることが望ましい場合、これらの特性のいずれかを部分絶縁層の長さに沿って変化させることができる。
【００５７】
絶縁被覆は、例えば、カプトン（登録商標）テープの形態で又は液体として用いられたポリアミド、マイラーフィルム、絶縁ワニス、又は任意の他の好適な絶縁体であることができる。
【００５８】
金属は、銅、真鍮、ステンレス鋼、ハステロイ、又は必要に応じて任意の他の好適な金属（又は非金属導体）であることができる。ハステロイのステンレス鋼などの材料を使用することにより、部分絶縁層は、従来の全銅磁石と比較して、改善された構造的安定性も提供することができ、高磁場トカマクで経験する大きな応力に対処するのに役立つ。
【００５９】
ＨＴＳコイルは、通常どおりに巻くことができ、部分絶縁層は巻線を巻くときに巻線の間に配置される。ＨＴＳコイルは、樹脂中に封入するか又は互いにはんだ付けすることができ、後者の場合、部分絶縁層は、任意選択ではんだ付け可能なコーティングで被覆して巻線の間のはんだ接着性を高めることができる。部分絶縁層は、コイルの各巻線を分離するようにＨＴＳ巻線で連続的に巻かれている。
【００６０】
窓は、エッチングによって、絶縁体細片を金属細片に付ける前に切断することによって、マスキングによるスプレーコーティングによって、インクジェット印刷によって、又は当技術分野で知られている他の好適な方法によって（例えば、フレキシブルＰＣＢ製造で知られている技術を用いて）製造することができる。
【００６１】
窓間の距離が窓のサイズよりも著しく大きく、一方の側の窓が他方の側の窓の中間になるように窓がオフセットされている場合、巻線間の抵抗ＲTTは以下のように概算することができる。
【数１】
2021513219.tif 000003
ここで、ｄは窓の間（同じ側の窓と次の窓との間）の距離、ρは抵抗率（コイルが低温かつ高磁場で作動することを考慮）、ｗはテープの幅、ｔは金属細片の厚さ、Ｌは各巻線の平均長さである。
【００６２】
例えば、２．５４マイクロオームの巻線間の抵抗は、２０ｍｍの幅、５０ミクロンの厚さ、１６．２ｍの巻線長さ、及び６０．５ｍｍの窓間の距離ｄを有する真鍮細片（＝約２０Ｋで４５ｎｍ）を用いて実現することができる。
【００６３】
代替的な「漏れのある絶縁」構造を図１０Ａ（平面図）及び１０Ｂ（１０ＡのＢ−Ｂ断面）に示す。前述のように、金属細片１００１は、少なくともＨＴＳに面する側に薄い絶縁被覆１００２を備えている。この場合、前の実施例のように縦方向に間隔を置いて配置された窓の代わりに、各絶縁被覆１００２は、金属細片の全長にわたる単一の窓１００３（又は「通路」）を有し、金属細片のそれぞれの側の窓は反対側の縁にある（例えば、細片、細片の一端から見て、上面の左側と下面の右側に窓を有することができる）。
【００６４】
窓は金属細片の縁まで延びているように表示されているが、必ずしもそうである必要はない。すなわち、窓の両側に絶縁材料がある場合がある。
【００６５】
窓は、それらが重ならないように配置され、電流１０１０が細片の幅に沿って進むだけで細片を通って流れることを可能にする。
【００６６】
この構造では、巻線から巻線への抵抗は、以下によって決定される。
・片側の窓と反対側の窓との間の距離（細片の幅に沿って内側の縁で測定され、距離が大きいほど抵抗が大きくなる）。
・金属細片の厚さ（厚さが大きいほど抵抗が小さくなる）
・金属細片の抵抗率（抵抗率が大きいほど抵抗が大きくなる）
・各窓の幅（幅が広いほど抵抗が小さくなる）。前の構成の窓の面積と同様に、これは小さな影響であるが、この場合、窓間の距離と各窓の幅は、金属細片の幅によって制限されることに留意すべきである。
【００６７】
窓間の距離が細片の厚さよりも著しく大きい場合、巻線から巻線への抵抗は次のように与えられる。
【数２】
2021513219.tif 000004
ここで、ｓは窓間の距離、ρは抵抗率（コイルが低温かつ高磁場で作動することを考慮）、ｔは金属細片の厚さ、Ｌは各巻線の長さである。
【００６８】
例えば、２．５４マイクロオームの巻線間の抵抗は、２０ｍｍの幅、５０ミクロンの厚さを有するステンレス鋼細片（＝４８６ｎｍ）と、それぞれの側の対向する縁にある７．９ｍｍの非絶縁細片とを用いて実現することができる。
【００６９】
上記の両方の構成が特定の実施例である一般的な場合、部分絶縁層は、それぞれの側に薄い絶縁層を有する金属細片を含む。各絶縁層は、（細片の厚みによるオフセットに加えて）金属細片の面内で他の層の窓からオフセットされた１つ以上の窓を有する。オフセット距離は、金属細片の厚さよりも大きく、コイルの１巻きの長さよりもかなり短いことができる（例えば、少なくとも５分の１、少なくとも１０分の１、又は少なくとも１００分の１）。窓は、ＨＴＳテープと金属細片との電気的接触を可能にし、その結果、巻かれたコイル内の隣接するＨＴＳテープ間の電流経路が金属細片を横切って（長さに沿って又は幅に沿って）横方向に進む。これにより、窓の位置及び間隔を変えることによって部分絶縁層の抵抗を容易に制御することが可能となり、同様の寸法の金属細片のみによって得られるよりも大きな抵抗が得られる。
【００７０】
窓は、部分絶縁層の長さに沿って均等に分布させることができ、そのような分布は、部分絶縁層の全長に沿って延在する。代替的に、窓間の距離（又は窓の他の特性）は、コイルの各巻線の全抵抗が一定になるように、部分絶縁層に沿って変化させることができる。
【００７１】
各部分絶縁層に１つの窓のみが設けられている場合、各窓は、部分絶縁層の全長にわたって延在することができる。
【００７２】
窓を通しての電気的接触を確実にするために、部分絶縁層は、巻線中にＨＴＳケーブルにはんだ付けすることができる。代替的に、接触は、一度巻かれたコイル内の圧力のみによって得ることができる。更なる代替例として、追加の導電性インサートを窓に追加することができ、又は金属細片は、窓内に延びる突出部を有することができる。インサート又は突出部は、窓全体を埋めるか又は窓の一部のみを埋めることができる。例えば、窓が「通路」である場合、インサートは、その通路に沿って間隔を置いて設けることができる。この結果、インサートは効果的に窓のサイズを小さくするように作用し、部分絶縁層の抵抗をさらに調整するために使用することができる。
【００７３】
先に開示した窓の様々な配置のすべては、窓と、窓を部分的に埋める金属インサート又は突出部との組合せによって実現することができ、例えば、金属インサートの間隔は、コイルの１巻線あたりの抵抗が一定であることを確実にするために部分絶縁層に沿って変えることができる。
【００７４】
部分絶縁層とＨＴＳコイルとの物理的接続は、圧力のみによって（すなわち、単にコイルのコンパクトな巻線によって）、絶縁被覆とＨＴＳケーブルの外面との接着剤（例えばエポキシ樹脂）接続によって、及び／又は部分絶縁層の外側金属面とＨＴＳケーブルとの間のはんだ接続によって行うことができる。
【００７５】
図１１は、良好な物理的及び電気的接続を確実にするために部分絶縁層に対して行われ得るいくつかの更なる改良点を示す。前述のように、部分絶縁層は、金属（又は他の導電性）細片１１０１と、薄い絶縁被覆１１０２とを含む。金属インサート１１０３は、窓内に配置することができ、又は金属細片は、ＨＴＳケーブルとの接触を容易にするために窓を通って延びる突出部を有することができる。
【００７６】
代替的又は追加的に、より大きなはんだ付け表面（ひいてはコイルのより容易な製造及びより強固に結合されたコイル）を提供するために、部分絶縁層は、絶縁層の外面に結合された更なる金属細片１１０４、以下「接続細片」を含むことができる。これらの接続細片は、層の電気的性質にほとんど影響を及ぼさないが、部分絶縁層を実質的に全表面に沿ってＨＴＳケーブルにはんだ付けすることを可能にする。
【００７７】
部分絶縁層はまた、コイルを製造するときに部分絶縁層を横切って及び／又は絶縁被膜を横切るはんだブリッジを避けるために、部分絶縁層の縁に結合され、金属細片１１０１の少なくとも縁を覆う絶縁材料１１０５を有することができる。
【００７８】
部分絶縁層はフレキシブルＰＣＢとして製造することができ、絶縁被覆は接着剤によって金属細片に結合され、次いで窓を形成するためにエッチングされ、必要に応じて更なる金属要素が金属細片と電気的に接触するように更なる金属要素が絶縁被覆又は金属細片に結合される。代替的に、絶縁被覆は、予め切断された窓を有し（又は細片に付けたときに「通路」を提供するようなサイズとし）、次いで接着剤によって巻線中の金属細片に結合することができる。他の製造方法も使用することができる。
【００７９】
図１２は、部分絶縁層の代替構成を示す。前述のように、部分絶縁層は、金属細片１２０１と、（図１０Ａ及びＢを参照して上述したように）金属細片のそれぞれの側の一方の縁に「通路」を形成するように配置されている絶縁被覆１２０２とを含む。この場合、金属細片は、「ジョグル」又は「キンク」１２０３を備え、すなわち、金属細片は、金属細片の窓によって露出する部分が絶縁被覆の平面内にあるように曲げられている。絶縁被覆は、はんだ付け時に金属細片と絶縁被覆の他方の側のＨＴＳテープとの間の望ましくない橋絡を防ぐために、オーバーハング１２０４を備えることができる。
【００８０】
上記は主に、金属細片に絶縁体を付け、次にこれをＨＴＳケーブルで巻いてコイルを形成することによって形成される部分絶縁層の観点から書かれているが、ＨＴＳケーブルに絶縁体を付け、次にそれを裸の金属細片で巻いている構造は、ＨＴＳケーブル、絶縁体、及び金属細片を巻線中にまとめる構造と同様であることが理解されるであろう。事実上、「部分絶縁層」は、コイルを巻くとその場で形成することができる。
【００８１】
漏れのある絶縁層の更なる代替例では、カプトン（登録商標）テープなどの絶縁材料の螺旋状ラップを金属細片の周りに巻き付け、絶縁巻線の間に意図的に間隙を残して「窓」を形成することができる。代替的に、各巻線を絶縁層で螺旋状に包み、間隙を残して「窓」を形成することもできる。しかしながら、隣接する巻線の間の抵抗率（すなわち、窓の接触領域及び反対側の窓間のオフセット）を制御することは、後者のアプローチではより困難になるであろう。
【００８２】
図１６Ａ〜Ｅは、さらに別の漏れのある絶縁層を示す。先の実施例と同様に、この実施例の技術的特徴は、必ずしも一緒に使用する必要はなく、必要に応じて他の実施例の特徴と組み合わせることができる。漏れのある絶縁層は５つの層を含み、５つの層は順番に以下のとおりである。
・第１の金属接続層１６１１、
・第１の絶縁層１６２１、
・導電層１６３０、
・第２の絶縁層１６２２、
・第２の金属接続層１６１２。
【００８３】
図１６Ａ〜Ｃは、それぞれ、第１の金属接続層１６１１、導電層１６３０、及び第２の金属接続層１６２２のレイアウトを示す。図１６Ｄ及びＥは、図１６Ａ〜Ｃの線Ｄ及びＥに沿った断面図である。
【００８４】
先の実施例と同様に、接続層は、はんだ付けによるＨＴＳケーブルへの取り付けを容易にするために存在する。
【００８５】
導電層が連続した金属細片である先の実施例とは対照的に、この実施例では、導電層はいくつかの導電領域に分割されている。これらの領域には２つのタイプがある。正方形の領域１６３１（実際には任意の形状であることができるが）は、ビア１６０６によって金属接続層の一方にのみ接続されている。これらの領域は、部分絶縁層の電気的性質に影響を与えないが、それぞれの絶縁層を通る熱経路を提供する。これらの領域のサイズ及びそれらと金属接続層との間の接続の数を変えることによって、部分絶縁層の熱的性質を電気的性質とは無関係に変えることができる。
【００８６】
他の領域１６３２は、第１の絶縁層１６２１の窓１６０１と第２の絶縁層１６２２の窓１６０２とを接続している。窓間の抵抗は、領域１６３２の幾何学的形状を変えることによって制御することができる。例えば、領域１６３２が図１６Ｂに示すように細長い軌道１６３３を含む場合、軌道の幅を増大させると窓間の抵抗が減少し、（例えば、直線でない軌道を提供することにより、又は窓を移動することにより）軌道の長さを増大させると窓間の抵抗が増加する。
【００８７】
第１の絶縁層の窓１６０１は、第１の接続層及び第１の絶縁層を通る穿孔されたビアにより形成され、次いで第１の接続層及び導電層を接続するために金属１６０３（又は他の導電性材料）でめっきされる。第２の絶縁層の窓１６０２は、すべての層を通るビア１６０２を穿孔することによって形成され、次いで金属１６０４（又は他の導電性材料）でめっきされる。第２の絶縁層の窓１６０２を通して第１の接続層に接続が形成されるのを防ぐために、第１の接続層をビア１６０２の周囲でエッチングして電気的に絶縁し、ビア１６０２の端部に絶縁キャップ１６０５を配置して、はんだ付け又はＨＴＳケーブルとの接触による橋絡が生じないことを確実にする。
【００８８】
代替例として、代わりに窓１６０２は、それらが第２の接続層、第２の絶縁層、及び導電層を通過し、かつ第１の絶縁層を通過しない（又は完全には通過しない）ように部分絶縁層の他方の側から穿孔することができる。更なる代替例として、すべての窓は、すべての層を通過するビアから形成することができ、第２の接続層のエッチング及び第２の接続層上の絶縁キャップが第１の絶縁層の窓１６０１に使用される。
【００８９】
一実施例として、図１６Ａ〜Ｅによる部分絶縁層は、以下のように、フレキシブルＰＣＢプロセスによって製造することができる。
・第１の絶縁層１６２１を提供し、その上面及び下面に（それぞれ第１の接続層１６１１及び導電層１６３０を形成するために）銅でめっきする。
・銅めっきした第１の絶縁層１６２１（すなわち、層１６２１、１６１１ｍ１６３０）をドリル加工してビア１６０１を形成し、穴をめっきする（１６０３）。
・導電層１６３０をエッチングして、領域１６３２（及び任意選択で領域１６３１、ただしこれらはエッチング除去され得ることが望ましい）を形成する。
・第２の絶縁層１６２２を導電層１６３０に付ける。これは、第１の絶縁層と同じ絶縁体であってもよいし、異なる絶縁体であってもよい。
・一実施例では、第２の絶縁層は、第２の接続層を接続するために使用される接着剤であることができる。
・第２の接続層１６１２を第２の絶縁層１６２２に付ける。
・第１及び第２の絶縁層に窓１６０２を形成するために上記のようにビアを穿孔する。
・ビアを銅１６０４で被覆する。
・第１の接続層をエッチングして、窓１６０２を第１の接続層から分離する（１６１１）。
・窓１６０２を形成するビアの第１の接続層１６１１の端部に絶縁キャップ１６０５を付ける。
【００９０】
当然ながら、図１６Ａ〜Ｅの実施例の特徴の一部のみを部分絶縁層で使用する場合、存在しない特徴に対応する方法ステップは実行されない。
【００９１】
一般に、上記の部分絶縁層の実施例の特徴は、様々な方法で組み合わせることができ、それぞれの実施例の他の特徴とは別に使用することができることに留意されたい。例えば、絶縁層の窓は、「通路」の実施例（図１０Ａ）のように、図１６Ｂのパターン化された導電層と組み合わせて、各絶縁層の縁に単一の細長い窓を備えていることができ、導電層は、図１２のように、パターン化された導電層の電気接点を絶縁層の平面にもたらすために「ジョグル」を備えていることができる。
【００９２】
上記の説明の多くは、大きなＨＴＳコイルに焦点を当ててきたが、先に開示された「漏れのある絶縁」は、より小さなＨＴＳコイルにもそれらのコイルに制御された巻線から巻線への抵抗を提供するために適用可能であることに留意されたい。
【００９３】
このような「漏れのある絶縁」を含むコイルの様々な製造方法について次に説明する。これらは実施例としてのみ提示されており、当業者は、他の巻線方法が可能であり、各実施例の要素を本明細書に提示されていない様々な方法で組み合わせることができることを容易に理解するであろう。
【００９４】
部分絶縁層は、（例えば、上記のようなフレキシブルＰＣＢ製造プロセスによって）事前に形成されてもよいし、巻線中にその場で形成されてもよい。金属細片に絶縁被覆を施すことは、絶縁被覆及び／又は金属細片にそれらを接続する前に接着剤（例えばエポキシ樹脂）を塗布することを含み得る。
【００９５】
部分絶縁層が（事前に形成されるか又は後述するように巻線プロセスの初期段階によって）コイルへの巻線前に形成される場合、巻線プロセス中の接続を容易にするために、層はそれぞれの側にＨＴＳテープを備えることができる。
【００９６】
図１３は、例示的な巻線システムの概略図を示す。コイル１３００は、３巻きのＨＴＳテープ１３０１と、部分絶縁層１３０２とから巻線される。部分絶縁層は、２巻きのＨＴＳテープ１３１１と、それぞれの側が乾燥エポキシ樹脂でコーティングされた２巻きの絶縁テープ１３１２と、１巻きのステンレス鋼箔１３１３とからその場で形成される。部分絶縁層及びＨＴＳテープのアセンブリは、それを熱及び圧力ローラ１３０３に通すことによって互いに結合される（巻線の圧力がエポキシ樹脂を硬化させるのに十分な場合には、これらのローラを省略するか又は大きな熱又は圧力を加えないローラに置き換えることができる）。部分絶縁層１３０２及びＨＴＳテープ１３０１の各々は、露出した表面にフラックスを塗布するためにフラックスボックス１３０４に通される。
【００９７】
図１３のコイルは円形として示されているが、同様の巻線システムを使用して（例えば、異なる形状のフォーマを用いて）任意の形状のコイルを巻くことができる。
【００９８】
図１４は、部分絶縁層及びＨＴＳテープのアセンブリの断面を示す。アセンブリは、絶縁層１４０２の間に挟まれているステンレス鋼テープ１４０１を含み、絶縁層１４０２は同様にＨＴＳテープ１４０３の間に挟まれている。各層はエポキシ樹脂で結合されているが、ステンレス鋼テープとＨＴＳテープの間の直接接続には（良好な電気的接続を確保するため）エポキシ樹脂は使用されていない。部分絶縁層及びＨＴＳのアセンブリの最小曲げ半径は、（アセンブリの厚さにより）単一のＨＴＳテープの最小曲げ半径よりも制限されるので、コイルを製造するこの方法は、より大きなコイルに好ましい。しかしながら、これは、製造時にアセンブリを部分的に「事前に曲げる」こと、すなわち、（「ゼロ歪み」位置が一直線のテープとコイルの最小曲率半径の中間の曲率半径になるように）アセンブリを部分的に曲げた状態に形成することよって克服することができる。
【００９９】
図示の実施例では、絶縁テープは、「通路」の実施形態を提供するように配置され、テープのそれぞれの側の一方の縁に単一の大きな窓を有する。これは、巻線中にＨＴＳテープ及びステンレス鋼テープから絶縁テープをずらしてオーバーハング１４１０を形成することによって達成される。このオーバーハングは、アセンブリがはんだ付けされるとき、又は後述するようにコイルが「はんだポッティング」されるときに、ＨＴＳとステンレス鋼との間の望ましくない電気的橋絡を防ぐのに役立つ。代替的に、ステンレス鋼よりも幅の狭い絶縁テープを設け、ステンレス鋼の一方の縁に位置合わせ（して他方の縁に「通路」を提供）することもできる。
【０１００】
部分絶縁層が他の配置の窓を有する場合、ＨＴＳテープとスチールテープとの間の電気的接続を確実にするために、例えば、窓が部分絶縁層の外縁への流体連通を許容しない場合に、部分絶縁層の組み立て中にはんだを設けることができる。代替的又は追加的に、前述のように、窓内に更なる金属インサート又は金属層の突出部を使用することができる。
【０１０１】
コイルをまとめて電気的接続を改善するために、コイルは、「はんだポッティング」され又は「はんだで結合され」、すなわち、（当技術分野でよく知られている「エポキシ樹脂ポッティング」との類推により）コイルを貫通させることができるはんだで完全に被覆され得る。図１５は、例示的なはんだポッティングされたコイルを示す。コイルは、部分絶縁層１５１０とＨＴＳケーブル１５２０とを含む。部分絶縁層１５１０は、金属細片１５１１と絶縁被覆１５１２とを含み、絶縁被覆は、コイルの縁を越えて突出するオーバーハング１５１３を有する。コイルがはんだポッティングされると、はんだ１５３０はコイルの表面を被覆し、ケーブルのＨＴＳテープ間に延び、それにより、ケーブルのＨＴＳテープ間及びＨＴＳケーブルと金属層との間の電気的接続を確実にする。ＨＴＳテープの金属表面及び部分絶縁層の露出した金属表面は、はんだ付けの前にフラックスで処理することができる。
【０１０２】
次いで、コイルを平面１５１４（点線）に沿って機械加工し、オーバーハングを切断してはんだを滑らかにすることができ、これにより、オーバーハングを横切るはんだブリッジが残らないことをさらに確実にする。
【０１０３】
部分絶縁層がオーバーハングの代わりに縁に絶縁被覆を備えている場合（例えば、図１１に示し、上述したように）、コイルは、はんだポッティングに続いてこの絶縁被覆まで機械加工されることができる。使用するはんだが使用する絶縁被覆を濡らさない場合、縁の絶縁被覆が十分に広ければ、そのようなブリッジは形成されない可能性がある。
【０１０４】
コイルの一方の側にオーバーハングを設ける代わりに、コイルのその側を取り外し可能なマスク（例えば、２成分シリコーン）でコーティングして、はんだがその側の接続をブリッジするのを防ぐことができる。この配置により、ＨＴＳテープ及び部分絶縁層のすべての一端を共通の平面上に配置することができるため、コイルの位置合わせが容易になる。
【０１０５】
「通路」の実施形態についてはんだポッティングが示されているが、はんだポッティングは先に提示した他の構成にも同様に適用可能である。一部の例では、オーバーハング１５１３は、各絶縁コーティングの両側に、又は部分絶縁層の長さの一部のみに沿って、すなわち、絶縁層を横切る接続が望ましくない場合に設けることができ、そのような接続が許容される場合（例えば、窓が金属層の縁部まで延びている場合など）にはオーバーハングがない。絶縁被膜の窓がコイルの外側と流体連通しないように配置される場合、これらの窓を通して巻線中の別のはんだ付け段階をはんだ接続部に行うことができ、又は本明細書に開示されている他の任意の接続方法を代わりに使用することができる（例えば、窓内の追加の金属インサート）。
【０１０６】
部分絶縁層が圧力のみによってＨＴＳテープに電気的に接続できる場合（例えば、図１１及び図１２の実施形態、ならびに金属層又は金属層に電気的に接続されている構成要素の一部が絶縁被覆の平面内にある他の実施形態では）、必要に応じてはんだを使用することもできるが、はんだポッティング又は他のはんだ付けを行うことなく、ＨＴＳと部分絶縁層との間に電気的接続を形成することができる。この場合、コイルは、機械的安定性を改善するためにエポキシ樹脂ポッティングすることができるが、エポキシ樹脂が（ＨＴＳケーブル内又はケーブルと部分絶縁層との間の）いかなる電気的接続も阻止しないように注意すべきである。
【０１０７】
ＨＴＳケーブルは、巻線前又は巻線プロセス中に個別にはんだ付けすることができる。巻線中のはんだ付けは、ＨＴＳテープが巻き戻されているときに各ＨＴＳテープをはんだでコーティングし、それらを一緒に加熱ローラに通してケーブルを形成し、次いでケーブルに部分絶縁層を巻き付けることによって行うことができる。
【０１０８】
一部の実施形態では、ＨＴＳケーブルと金属層との間の間隙が小さいため、はんだは、ポッティング中にこれらの間隙を濡らさない可能性がある。これは、はんだ、金属層、及びＨＴＳケーブルの外面の組成によって決まる。これは通常、金属層とＨＴＳケーブルの外面が異なる場合に起こる。このため、金属層とＨＴＳケーブルとの直接接触によって電気的接続が行われない実施形態では、金属層とＨＴＳケーブルの外面は類似の金属であることができ、又はこれらの間隙はポッティングによってではなく個別にはんだ付けすることができる。
【０１０９】
同様に、はんだは一般に、絶縁層とＨＴＳテープとの間の間隙を濡らさない。はんだポッティングに続いて、これらの間隙を結合するためにコイルをエポキシ樹脂ポッティングすることができる（少なくともコイルの外側に流体連通している場合）。
【０１１０】
場合によっては（例えば、部分絶縁層がフレキシブルＰＣＢとして製造される場合）、より短い長さの部分絶縁層（例えば、２〜５ｍ）を形成し、それらをコイル内の突き合わせ接合で接続することが望ましいことがある。上記のどの実施例でも、これは単一の「部分絶縁層」と考えるべきである。
【０１１１】
上記の開示は、多くの可変要素を等しく扱ってきたが、所与の磁石について、設計プロセスにより、いくつかの可変要素は制約され、他の可変要素は自由に選択できることが理解されるであろう。例えば、必要な磁場及び磁石の形状が分かっている場合、設計プロセスは以下のステップを含むことができる。
・必要な磁場を生成するために必要な数の「アンペア回数」（すなわち、巻き数Ｎに輸送電流Ｉを乗じたもの）を決定するステップ。
・許容可能な時定数を達成するインダクタンスＬ（Ｎによって決まる）及び径方向抵抗Ｒ（Ｎ及び巻線間の抵抗ＲTTによって決まる）を提供するため値Ｉ及びＮを選択するステップ（「許容できる」は使用事例によって決まる）。
・必要なＲTTを提供するために部分絶縁体の性質を選択するステップ。
【０１１２】
Ｉ及びＲTTの選択は、他の要因によって制約される可能性が高い。例えば、輸送電流は、ＨＴＳケーブルの臨界電流を超えることができず、ＲTTは、部分絶縁層の許容可能な厚さ及びテープの幅によって決まる（どちらも他の考慮事項、例えば、利用可能なスペース及びＨＴＳテープの性能によって設定される可能性が高い）。
【０１１３】
上記の説明は巻かれたパンケーキコイルに関するものであるが、同様の考慮事項がセクションコイルにも当てはまる。このようなコイルでは、コイルパラメータに対するＬ及びＲの依存性は異なる可能性があるが、ＨＴＳ磁石の設計の通常の技術を用いて当業者が確認することができる。
【０１１４】
本開示は、許容可能な速いコイルランプ時間と、１巻線で形成されるホットスポットとＨＴＳテープの損傷との間の長い時間窓との間の良好なトレードオフを提供するようにＬ／Ｒ時定数を調整することを可能にすることによって、非絶縁／部分絶縁コイルの使用を可能にする。これにより、ホットスポットは、コイル温度を監視することによって検出することができ、必要に応じて、アクティブクエンチ保護システムを係合させて、同等の絶縁コイルと比較してより長い時間枠で磁石電流を流すことができる。
【０１１５】
さらに、非絶縁コイルは、ＨＴＳケーブル間で銅を「シェア」できるため、同等の絶縁コイルよりも少ない銅又は他の金属安定化材しか必要としない（すなわち、各ＨＴＳケーブルがそのケーブルからの電流をシェアするのに十分な銅を必要とするのではなく、コイルが全体としてケーブルのサブセットのみからの電流をシェアするのに十分な銅を必要とする）。したがって、部分絶縁コイルを用いてより高い電流密度を実現することができ、これは、コイルの厚さが重要な設計上の考慮事項である球状トカマクのトロイダル磁場コイルのような用途において（球状トカマクの場合、中心柱の半径を最小化するか又は所与の中心柱の半径に対してより多くの中性子遮蔽を可能にするために）特に有用である。
【０１１６】
絶縁コイルの挙動が通常動作に要求される場合、非絶縁コイルの利点は、冷却時の非常に高い抵抗と、転移温度（酸化バナジウムの場合は約１１０  Ｋ）を超えて温めた場合の比較的低い温度（少なくとも１０分の１）と有する、酸化バナジウムなどの金属絶縁体転移材料を使用することにより、クエンチ中にも得ることができる。このため、巻線間に金属絶縁体遷移材料を備えた「半絶縁」コイルは、通常動作中及びランプアップ中は（非常に低い時定数を有する）絶縁コイルとして、（金属絶縁体転移材料が熱くなり、導電性になる）クエンチ中は非絶縁コイルとして挙動する。これにより、金属絶縁体遷移金属が低い抵抗を有する場合のＲTをランプアップの時定数に悪影響を与えることなく可能な限り低くすることができる（低温でのＲTが十分に低い時定数を提供するという条件で。ただし、金属絶縁体転移材料はそれらの転移温度付近で抵抗率が非常に急激に低下するため（例えば、１０ケルビンを超えると抵抗率が少なくとも１０分の１に低下、又は１０ケルビンを超えると抵抗率が１０００分の１に低下）、これは容易に達成可能である）。
【０１１７】
上記開示は、様々なＨＴＳ磁石システムに適用することができる。例としての上述したトカマク核融合炉に加えて、本開示は、核磁気共鳴イメージング（ＮＭＲ／ＭＲＩ）装置におけるＨＴＳコイル、磁場による非磁気媒体内の磁気装置の操作（例えば、患者内で医療デバイスを操作するためのロボット磁気ナビゲーションシステム）、及び例えば電子航空機用の電気モータのための磁石に使用することができる。更なる例として、本開示は、開示された特徴を含むＨＴＳ磁石システムを含む陽子線治療装置に適用することができ、ＨＴＳ磁石システムは、ＰＢＴ装置の加速器、ＰＢＴ装置の四重極又は双極子ステアリング磁石、又はＰＢＴ装置の任意の他の磁石内で使用される。
【図１】
2021513219.tif 000005
【図２】
2021513219.tif 000006
【図３】
2021513219.tif 000007
【図４】
2021513219.tif 000008
【図５】
2021513219.tif 000009
【図６】
2021513219.tif 000010
【図７】
2021513219.tif 000011
【図８】
2021513219.tif 000012
【図９Ａ】
2021513219.tif 000013
【図９Ｂ】
2021513219.tif 000014
【図１０Ａ】
2021513219.tif 000015
【図１０Ｂ】
2021513219.tif 000016
【図１１】
2021513219.tif 000017
【図１２】
2021513219.tif 000018
【図１３】
2021513219.tif 000019
【図１４】
2021513219.tif 000020
【図１５】
2021513219.tif 000021
【図１６Ａ−１６Ｃ】
2021513219.tif 000022
【図１６Ｄ】
2021513219.tif 000023
【図１６Ｅ】
2021513219.tif 000024
【国際調査報告】
2021513219.tif 000025
2021513219.tif 000026
2021513219.tif 000027
2021513219.tif 000028